(57)【要約】      （修正有）【課題】点滴監視方法及びシステムを提供する。【解決手段】監視開始信号を受信する工程２０１と、重量測定モジュールによって支持重量を測定する工程２０２と、支持重量がクリア重量より小さい場合、それぞれ支持重量を開始重量及び当時重量にする工程２０５と、警報重量を算出して、警報重量が予定最小警報重量より大きくではない場合、警報重量を予定最小警報重量に等しくする工程２０８と、重量測定モジュールによって支持重量を測定し、支持重量を当時重量にする工程２０９と、当時重量が警報重量より小さくではない場合、工程２０９を行う工程と、当時重量が警報重量より小さく且つクリア重量より小さくではない場合、警報モジュールに警報信号を発生させ、工程２０９を行う工程２１４と、当時重量がクリア重量より小さい場合、重量測定モジュールに対してゼロ調整補正を行い、工程２０５を行う工程２１８と、を備える点滴監視方法。【選択図】図２
2019025330.tif 000002
【特許請求の範囲】
【請求項１】
監視開始信号を受信する工程（Ａ）と、
重量測定モジュールによって現在の支持重量を測定する工程（Ｂ）と、
前記支持重量がクリア重量より小さい場合、それぞれ前記支持重量を開始重量及び当時重量にする工程（Ｃ）と、
前記当時重量に基づいて警報重量を算出して、前記警報重量が予定最小警報重量より大きいかを判断し、前記警報重量が前記予定最小警報重量より大きくではない場合に、前記警報重量を前記予定最小警報重量に等しくする工程（Ｄ）と、
前記重量測定モジュールによって現在の前記支持重量を測定し、前記支持重量を前記当時重量にする工程（Ｅ）と、
前記当時重量が前記警報重量より小さくではない場合、監視状態になって、続けて工程（Ｅ）を行う工程（Ｆ）と、
前記当時重量が前記警報重量より小さく且つ前記クリア重量より小さくではない場合、警報状態になって、警報モジュールに警報信号を発生させ、続けて工程（Ｅ）を行う工程（Ｇ）と、
前記当時重量が前記クリア重量より小さい場合、クリア状態になって、前記重量測定モジュールに対してゼロ調整補正を行って、続けて工程（Ｃ）を行う（Ｈ）と、
を備える点滴監視方法。
【請求項２】
前記警報重量は、前記当時重量と点滴袋の重量との差値と、臨界重量との合計である請求項１に記載の点滴監視方法。
【請求項３】
工程（Ｆ）が続けて工程（Ｅ）の間に行い、工程（Ｇ）が続けて工程（Ｅ）の間に行い及び工程（Ｈ）が続けて工程（Ｃ）の間に行う場合、
監視間隔時間を待つことを更に備える請求項１又は２に記載の点滴監視方法。
【請求項４】
監視終了信号を受信する工程（Ｉ１）と、
前記重量測定モジュールによって現在の前記支持重量を測定し、前記支持重量を前記当時重量にする工程（Ｉ２）と、
前記当時重量が前記警報重量より大きく前記当時重量が前記クリア重量より小さい場合、監視終了状態になる工程（Ｉ３）と、
前記当時重量が前記警報重量より小さく且つ前記クリア重量より小さくではない場合、前記当時重量を記録して、前記監視終了状態になる工程（Ｉ４）と、
を更に備える請求項１〜３の何れか1項に記載の点滴監視方法。
【請求項５】
前記監視終了状態に入った後で、
前記当時重量が前記クリア重量より小さい場合、前記重量測定モジュールが前記クリア状態にあると判断し、前記重量測定モジュールに対してゼロ調整補正を行う工程（Ｊ１）と、
前記重量測定モジュールがゼロ調整補正を行った後で又は前記当時重量が前記クリア重量より大きい場合、前記重量測定モジュールによって現在の前記支持重量を測定し、前記支持重量を前記当時重量にし、続けて工程（Ｊ１）を行う工程（Ｊ２）と、
を更に備える請求項４に記載の点滴監視方法。
【請求項６】
監視一時休止信号を受信する工程（Ｋ１）と、
前記重量測定モジュールによって現在の前記支持重量を測定し、前記支持重量を前記当時重量にして、監視一時休止状態になる工程（Ｋ２）と、
前記当時重量が前記クリア重量より小さい場合、前記重量測定モジュールが前記クリア状態にあると判断し、前記重量測定モジュールに対してゼロ調整補正を行う工程（Ｋ３）と、
前記重量測定モジュールがゼロ調整補正を行った後で又は前記当時重量が前記クリア重量より大きい場合、前記重量測定モジュールによって現在の前記支持重量を測定し、前記支持重量を前記当時重量にし、続けて工程（Ｋ３）を行う工程（Ｋ４）と
を更に備える請求項１〜５の何れか1項に記載の点滴監視方法。
【請求項７】
監視回復信号を受信する工程（Ｌ１）と、
前記重量測定モジュールによって現在の前記支持重量を測定し、前記支持重量を前記当時重量にする工程（Ｌ２）と、
前記当時重量に基づいて前記警報重量を算出して、前記警報重量が前記予定最小警報重量より大きいかを判断し、前記警報重量が前記予定最小警報重量より大きくではない場合に、前記警報重量を前記予定最小警報重量に等しくする工程（Ｌ３）と、
監視状態になって、続けて工程（Ｅ）を行う工程（Ｌ４）と、
を更に備える請求項６に記載の点滴監視方法。
【請求項８】
工程（Ｂ）の後で、
前記支持重量が前記クリア重量より小さくではない場合、前記警報モジュールに非クリア警報信号を発生させて、監視を終了する工程（Ｍ）と、
を更に備える請求項１〜７の何れか1項に記載の点滴監視方法。
【請求項９】
監視設定信号を受信する工程（Ｎ１）と、
前記予定最小警報重量を所定値に修正する工程（Ｎ２）と、
前記重量測定モジュールによって現在の前記支持重量を測定し、前記支持重量を前記当時重量にする工程（Ｎ３）と、
前記当時重量に基づいて前記警報重量を算出して、前記警報重量が前記予定最小警報重量より大きいかを判断し、前記警報重量が前記予定最小警報重量より大きくではない場合に、前記警報重量を前記予定最小警報重量に等しくする工程（Ｎ４）と、
設定を終了する工程（Ｎ５）と、
を更に備える請求項１に記載の点滴監視方法。
【請求項１０】
アプリケーションプログラムを保存するように配置される保存モジュールと、
操作インタフェースと、
重量測定モジュールと、
前記保存モジュール、前記操作インタフェース及び前記重量測定モジュールに電気的に結合され、前記保存モジュールから前記アプリケーションプログラムをアクセスして実行して、点滴監視方法を実行するように配置される処理モジュールと、
を備え、
また、前記点滴監視方法は、前記操作インタフェースによって監視開始信号を受信する工程（Ａ）と、前記重量測定モジュールによって現在の支持重量を測定する工程（Ｂ）と、前記支持重量がクリア重量より小さい場合、それぞれ前記支持重量を開始重量及び当時重量にする工程（Ｃ）と、前記当時重量に基づいて警報重量を算出して、前記警報重量が予定最小警報重量より大きいかを判断し、前記警報重量が前記予定最小警報重量より大きくではない場合に、前記警報重量を前記予定最小警報重量に等しくする工程（Ｄ）と、前記重量測定モジュールによって現在の前記支持重量を測定し、前記支持重量を前記当時重量にする工程（Ｅ）と、前記当時重量が前記警報重量より小さくではない場合、監視状態になって、続けて工程（Ｅ）を行う工程（Ｆ）と、前記当時重量が前記警報重量より小さく且つ前記クリア重量より小さくではない場合、警報状態になって、警報モジュールに警報信号を発生させ、続けて工程（Ｅ）を行う工程（Ｇ）と、前記当時重量が前記クリア重量より小さい場合、クリア状態になって、前記重量測定モジュールに対してゼロ調整補正を行って、続けて工程（Ｃ）を行う（Ｈ）と、を備える点滴監視システム。
【請求項１１】
前記警報重量は、前記当時重量と点滴袋の重量との差値と、臨界重量との合計である請求項１０に記載の点滴監視システム。
【請求項１２】
工程（Ｆ）が続けて工程（Ｅ）の間に行い、工程（Ｇ）が続けて工程（Ｅ）の間に行い及び工程（Ｈ）が続けて工程（Ｃ）の間に行う場合、前記処理モジュールは、更に、監視間隔時間を待つように配置される請求項１０又は１１に記載の点滴監視システム。
【請求項１３】
前記処理モジュールの実行する前記点滴監視方法は、
前記操作インタフェースによって監視終了信号を受信する工程（Ｉ１）と、
前記重量測定モジュールによって現在の前記支持重量を測定し、前記支持重量を前記当時重量にする工程（Ｉ２）と、
前記当時重量が前記警報重量より大きく前記当時重量が前記クリア重量より小さい場合、監視終了状態になる工程（Ｉ３）と、
前記当時重量が前記警報重量より小さく且つ前記クリア重量より小さくではない場合、前記当時重量を記録して、前記監視終了状態になる工程（Ｉ４）と、
を更に備える請求項１０〜１２の何れか1項に記載の点滴監視システム。
【請求項１４】
前記監視終了状態に入った後で、前記処理モジュールの実行する前記点滴監視方法は、
前記当時重量が前記クリア重量より小さい場合、前記重量測定モジュールが前記クリア状態にあると判断し、前記重量測定モジュールに対してゼロ調整補正を行う工程（Ｊ１）と、
前記重量測定モジュールがゼロ調整補正を行った後で又は前記当時重量が前記クリア重量より大きい場合、前記重量測定モジュールによって現在の前記支持重量を測定し、前記支持重量を前記当時重量にし、続けて工程（Ｊ１）を行う工程（Ｊ２）と、
を更に備える請求項１３に記載の点滴監視システム。
【請求項１５】
前記処理モジュールの実行する前記点滴監視方法は、
前記操作インタフェースによって監視一時休止信号を受信する工程（Ｋ１）と、
前記重量測定モジュールによって現在の前記支持重量を測定し、前記支持重量を前記当時重量にして、監視一時休止状態になる工程（Ｋ２）と、
前記当時重量が前記クリア重量より小さい場合、前記重量測定モジュールが前記クリア状態にあると判断し、前記重量測定モジュールに対してゼロ調整補正を行う工程（Ｋ３）と、
前記重量測定モジュールがゼロ調整補正を行った後で又は前記当時重量が前記クリア重量より大きい場合、前記重量測定モジュールによって現在の前記支持重量を測定し、前記支持重量を前記当時重量にし、続けて工程（Ｋ３）を行う工程（Ｋ４）と、
を更に備える請求項１０〜１４の何れか1項に記載の点滴監視システム。
【請求項１６】
前記処理モジュールの実行する前記点滴監視方法は、
前記操作インタフェースによって監視回復信号を受信する工程（Ｌ１）と、
前記重量測定モジュールによって現在の前記支持重量を測定し、前記支持重量を前記当時重量にする工程（Ｌ２）と、
前記当時重量に基づいて前記警報重量を算出し、前記警報重量が予定最小警報重量より大きいかを判断し、前記警報重量が前記予定最小警報重量より大きくではない場合に、前記警報重量を前記予定最小警報重量に等しくする工程（Ｌ３）と、
監視状態になって、続けて工程（Ｅ）を行う工程（Ｌ４）と、
を更に備える請求項１５に記載の点滴監視システム。
【請求項１７】
工程（Ｂ）の後で、前記処理モジュールの実行する前記点滴監視方法は、
前記支持重量が前記クリア重量より小さくではない場合、前記警報モジュールに非クリア警報信号を発生させて、監視を終了する工程（Ｍ）を更に備える請求項１０〜１６の何れか1項に記載の点滴監視システム。
【請求項１８】
前記処理モジュールは、更に、前記開始重量、前記当時重量、前記警報重量及び前記予定最小警報重量を前記保存モジュールに保存するように配置される請求項１０に記載の点滴監視システム。
【請求項１９】
前記処理モジュールは、更に、状態値を前記保存モジュールに保存するように配置され、前記状態値は、前記監視状態、前記クリア状態、前記警報状態、前記監視終了状態及び前記監視一時休止状態を表すように配置される請求項１８に記載の点滴監視システム。
【請求項２０】
前記処理モジュールの実行する前記点滴監視方法は、
監視設定信号を受信する工程（Ｎ１）と、
前記予定最小警報重量を所定値に修正する工程（Ｎ２）と、
前記重量測定モジュールによって現在の前記支持重量を測定し、前記支持重量を前記当時重量にする工程（Ｎ３）と、
前記当時重量に基づいて前記警報重量を算出して、前記警報重量が前記予定最小警報重量より大きいかを判断し、前記警報重量が前記予定最小警報重量より大きくではない場合に、前記警報重量を前記予定最小警報重量に等しくする工程（Ｎ４）と、
設定を終了する工程（Ｎ５）と、
を更に備える請求項１０〜１９の何れか1項に記載の点滴監視システム。
【発明の詳細な説明】
【技術分野】
【０００１】
本発明は、監視技術に関し、特に、点滴監視方法及びシステムに関する。
【背景技術】
【０００２】
医療用輸液は、ほとんど重力式点滴であり、つまり固定されたスタンドに液袋や液瓶を掛けて、液体が自然重力により滴下して血液に入るようにする。現在、点滴過程の監視方法としては、相変わらず人工的監護を採用する。点滴終了や点滴過程に異常があると気づくと、手動で警報ボタンを押し、又は医療看護者に処理するように知らせる必要がある。また、効率的な監視方法がない場合、医療看護者の作業負担も増える。
【発明の概要】
【発明が解決しようとする課題】
【０００３】
そのため、上記の問題を解決するために、如何に新しい点滴監視方法及びシステムを設計するかは、業界で一日も早く解決されようとする問題である。
【課題を解決するための手段】
【０００４】
そのため、本発明の一態様では、監視開始信号を受信する工程（Ａ）と、重量測定モジュールによって現在の支持重量を測定する工程（Ｂ）と、支持重量がクリア重量より小さい場合、それぞれ支持重量を開始重量及び当時重量にする工程（Ｃ）と、当時重量に基づいて警報重量を算出して、警報重量が予定最小警報重量より大きいかを判断し、警報重量が予定最小警報重量より大きくではない場合、警報重量を予定最小警報重量に等しくする工程（Ｄ）と、重量測定モジュールによって現在の支持重量を測定し、支持重量を当時重量にする工程（Ｅ）と、当時重量が警報重量より小さくではない場合、監視状態になって、続けて工程（Ｅ）を行う工程（Ｆ）と、当時重量が警報重量より小さく且つクリア重量より小さくではない場合、警報状態になって、警報モジュールに警報信号を発生させ、続けて工程（Ｅ）を行う工程（Ｇ）と、当時重量がクリア重量より小さい場合、クリア状態になって、重量測定モジュールに対してゼロ調整補正を行い、続けて工程（Ｃ）を行う工程（Ｈ）と、を備える点滴監視方法を提供する。
【０００５】
本発明の別の態様では、アプリケーションプログラムを保存するように配置される保存モジュールと、操作インタフェースと、重量測定モジュールと、保存モジュール、操作インタフェース及び重量測定モジュールに電気的に結合され、監視開始信号を受信する工程（Ａ）と、重量測定モジュールによって現在の支持重量を測定する工程（Ｂ）と、支持重量がクリア重量より小さい場合、それぞれ支持重量を開始重量及び当時重量にする工程（Ｃ）と、当時重量に基づいて警報重量を算出して、警報重量が予定最小警報重量より大きいかを判断し、警報重量が予定最小警報重量より大きくではない場合、警報重量を予定最小警報重量に等しくする工程（Ｄ）と、重量測定モジュールによって現在の支持重量を測定し、支持重量を当時重量にする工程（Ｅ）と、当時重量が警報重量より小さくではない場合、監視状態になって、続けて工程（Ｅ）を行う工程（Ｆ）と、当時重量が警報重量より小さく且つクリア重量より小さくではない場合、警報状態になって、警報モジュールに警報信号を発生させ、続けて工程（Ｅ）を行う工程（Ｇ）と、当時重量がクリア重量より小さい場合、クリア状態になって、重量測定モジュールに対してゼロ調整補正を行い、続けて工程（Ｃ）を行う工程（Ｈ）と、を備える点滴監視方法を実行するように、保存モジュールからアプリケーションプログラムをアクセスして実行するように配置される処理モジュールと、を備える点滴監視システムを提供する。
【発明の効果】
【０００６】
本発明を適用する場合、本発明の点滴監視システム及び点滴監視方法により、液体を含有する点滴袋の重量を効果的に監視し、警報重量の設置によって、点滴袋の重量が液体の送り出しにより警報重量以下まで軽くなる場合に警報を提供することができるメリットがある。また、持続的にクリア状態で重量測定モジュールに対してゼロ調整補正を行うことで、重量測定モジュールが長い間点滴袋を支持して変形することによる誤差、又は重量測定モジュールが点滴袋の除去後の回復作用での変形による誤差を避けることができる。
【図面の簡単な説明】
【０００７】
【図１】本発明の一実施例に係る点滴監視システムのブロック図である。
【図２】本発明の一実施例に係る点滴監視方法の流れ図である。
【図３】本発明の一実施例に係る点滴監視方法の流れ図である。
【図４】本発明の一実施例に係る点滴監視方法の流れ図である。
【図５】本発明の一実施例に係る点滴監視方法の流れ図である。
【図６】本発明の一実施例に係る点滴監視方法の流れ図である。
【発明を実施するための形態】
【０００８】
図１を参照されたい。図１は、本発明の一実施例に係る点滴監視システム１のブロック図である。点滴監視システム１は、操作インタフェース１００と、重量測定モジュール１０２と、保存モジュール１０４と、警報モジュール１０６と、処理モジュール１０８と、を備える。
【０００９】
処理モジュール１０８は、操作インタフェース１００、重量測定モジュール、保存モジュール１０４及び警報モジュール１０６に電気的に結合される。
【００１０】
操作インタフェース１００は、例えば、複数の実体又は仮想のボタンを含んでよいが、それに限定されない。使用者がボタン１００Ａ-１００Ｄにタッチすることで制御用信号を発生させ、処理モジュール１０８により処理されるように、例えば、ボタン１００Ａ-１００Ｄを含んでよいが、それに限定されない。
【００１１】
重量測定モジュール１０２は、例えば、点滴袋又は点滴瓶（それに限定されない）のような被測定物に対して重量を測定するように配置される。処理モジュール１０８は、重量測定モジュール１０２により測定された重量に基づいて、後の処理を行うことができる。
【００１２】
保存モジュール１０４は、例えば、記憶レジスタ、フラッシュメモリ又はその組み合わせ（それに限定されない）多種のタイプの保存ユニットを含んでよく、データを保存するように配置される。一実施例において、保存モジュールは、アプリケーションプログラム１３０を保存するように配置される。処理モジュール１０８は、処理されたデータを保存し又は保存モジュール１０４からデータを取得するように、保存モジュール１０４をアクセスする。
【００１３】
警報モジュール１０６は、処理モジュール１０８の制御に基づいて、音声、閃光又はその組み合わせの警報情報を発生させるように、例えば、ブザー、発光素子又はその組み合わせを含んでよいが、それに限定されない。
【００１４】
以下、図１及び図２に合わせて、点滴監視システム１の作動形態を詳しく説明する。
【００１５】
図２を参照されたい。図２は、本発明の一実施例に係る点滴監視方法２００の流れ図である。点滴監視方法２００は、図１に示す点滴監視システム１に適用されて、処理モジュール１０８により、例えば、保存モジュール１０４における対応するアプリケーションプログラム１３０（それに限定されない）を取得して実行することができる。点滴監視方法２００は、下記の工程を備える（理解すべきなのは、本実施形態に言及した工程であれば、その順序が特定される以外、何れも実際の要求に応じてその前後の順序を調整し、更に同時に又はその一部を同時に実行してもよい）。
【００１６】
工程２０１において、処理モジュール１０８は、操作インタフェース１００によって監視開始信号１０１を受信してよい。一実施例において、監視開始信号１０１の発生は、使用者が例えば、ボタン１００Ａ（それに限定されない）のような操作インタフェース１００に含まれる実体又は仮想のボタンにタッチすることで達成されてよい。
【００１７】
工程２０２において、重量測定モジュール１０２によって現在の支持重量１５１を測定する。
【００１８】
工程２０３において、処理モジュール１０８は、支持重量１５１がクリア重量１５２より小さいかを判断する。一実施例において、クリア重量１５２の数値は、処理モジュール１０８により取得されて上記の判断を行うように、保存モジュール１０４に保存されてよい。
【００１９】
工程２０４において、支持重量１５１がクリア重量１５２より小さくではない場合、処理モジュール１０８は、この場合がクリアの状態ではないと判断する。つまり、重量測定モジュール１０２に、まだ、例えば、点滴袋又は点滴瓶のような（それに限定されない）物品が掛けられているので、支持重量１５１がクリア重量１５２より小さくではない。そのため、警報モジュール１０６は、非クリア警報信号１５３を発生させて、監視を終了する。
【００２０】
重量測定モジュール１０２は、物品が掛けられていない場合にも、例えば、掛けられる重物の変形（それに限定されない）の原因で完全にゼロではない支持重量を測定することもある。そのため、支持重量１５１がクリア重量１５２より小さい場合にも、処理モジュール１０８は、クリアの状態にあると判断する。
【００２１】
工程２０５において、クリアの状態で、処理モジュール１０８は、支持重量１５１をそれぞれ開始重量１５４及び当時重量１５５にする。
【００２２】
一実施例において、処理モジュール１０８は、開始重量１５４及び当時重量１５５の数値を保存モジュール１０４に保存する。
【００２３】
工程２０６において、処理モジュール１０８は、当時重量１５５に基づいて警報重量１５６を算出する。より詳しくは、一実施例において、処理モジュール１０８は、当時重量１５５、点滴袋の重量１５７及び臨界重量１５８に基づいて、警報重量１５６を算出する。
【００２４】
一実施例において、臨界重量１５８は、点滴袋がきれる前に警報することのできる臨界値に設置される。点滴袋の重量１５７は、重量測定モジュール１０２に支持される点滴袋の重量である。一実施例において、臨界重量１５８及び点滴袋の重量１５７の数値は、保存モジュール１０４に保存されて、処理モジュール１０８により取得されて算出されてよい。
【００２５】
工程２０７において、処理モジュール１０８は、警報重量１５６が予定最小警報重量１５９より大きいかを判断する。
【００２６】
一実施例において、予定最小警報重量１５９は、警報重量１５６に不合理な数値が出て永遠に警報を発生させないようにするためのものであり、処理モジュール１０８により取得されて上記の判断を行うように、保存モジュール１０４に保存される。
【００２７】
工程２０８において、警報重量１５６が予定最小警報重量１５９より大きくではない場合、処理モジュール１０８は、警報重量１５６を予定最小警報重量１５９に等しくする。警報重量１５６が予定最小警報重量１５９より大きくなる場合、処理モジュール１０８は、続けて元々の警報重量１５６の数値を維持する。
【００２８】
一実施例において、処理モジュール１０８は、最終的に決めた警報重量１５６の数値を保存モジュール１０４に保存する。
【００２９】
工程２０９において、重量測定モジュール１０２は、現在の支持重量１５１を測定して、支持重量１５１を当時重量１５５にする。一実施例において、処理モジュール１０８は、当時重量１５５の数値を更新して、保存モジュール１０４に保存する。
【００３０】
工程２１０において、処理モジュール１０８は、当時重量１５５が警報重量１５６より小さいかを判断する。
【００３１】
工程２１１において、処理モジュール１０８は、当時重量１５５が警報重量１５６より小さくではないと判断する場合、更に、この場合に監視状態になると判断する。
【００３２】
一実施例において、処理モジュール１０８は、状態値（図示せず）を保存モジュール１０４に保存するように配置され、状態値は、異なる数値で点滴監視システム１の状態を表すように配置される。例として、処理モジュール１０８は、監視状態を表すものとして、例えば、数値「０」（それに限定されない）の状態値を保存してよい。
【００３３】
一実施例において、流れとして、工程２１２を選択的に行ってよい。処理モジュール１０８は、例えば、３０秒間（それに限定されない）の監視間隔時間を待って、工程２０９に戻って続けて監視を行う。
【００３４】
工程２１３において、工程２１０で、処理モジュール１０８は、当時重量１５５が警報重量１５６より小さいと判断する場合、更に、当時重量１５５がクリア重量１５２より小さいかを判断する。
【００３５】
工程２１４において、処理モジュール１０８は、当時重量１５５がクリア重量１５２より小さくではないと判断する場合、更に、この場合に警報状態になると判断し、警報モジュール１０６に警報信号１６０を発生させる。
【００３６】
一実施例において、処理モジュール１０８は、警報状態を表すものとして、例えば、数値「１」（それに限定されない）の状態値を保存してよい。
【００３７】
一実施例において、流れとして、工程２１２を選択的に行ってよい。処理モジュール１０８は、例えば、３０秒間（それに限定されない）の監視間隔時間を待って、工程２０９に戻って続けて監視を行う。
【００３８】
工程２１５において、工程２１３で、処理モジュール１０８は、当時重量１５５がクリア重量１５２より小さいと判断する場合、更に、この場合にクリア状態になると判断する。
【００３９】
一実施例において、処理モジュール１０８は、例えば、クリア状態を表すものとして、数値「２」（それに限定されない）の状態値を保存してよい。
【００４０】
工程２１６において、処理モジュール１０８は、クリア状態で重量測定モジュール１０２に対してゼロ調整補正を行う。一実施例において、ゼロ調整補正では、ゼロ調整補正の効果を達成させるように、重量測定モジュール１０２が元々の開始重量１５４を基準点とし、つまり元々の開始重量１５４を０ｃｇとする。
【００４１】
一実施例において、流れとして、工程２１７を選択的に行ってよい。処理モジュール１０８は、例えば、３０秒間（それに限定されない）の監視間隔時間を待って、続けて監視を行う。
【００４２】
工程２１８において、重量測定モジュール１０２は、現在の支持重量１５１を測定する。流れでは、更に、工程２０５に戻って、続けて点滴監視方法２００を行う。
【００４３】
以下、図２を参照して、実際の数値を範例として点滴監視方法２００の実施形態を説明する。一実施例において、クリア重量１５２、点滴袋の重量１５７、臨界重量１５８及び最小警報重量ＰＡＬＡＲＴの数値は、それぞれ、例えば、３０ｃｇ、５００ｃｇ、３０ｃｇ及び１００ｃｇであってよいが、それに限定されない。
【００４４】
工程２０１において、重量測定モジュール１０２に点滴袋が支持されていない場合、処理モジュール１０８は、監視開始信号１０１を受信する。
【００４５】
工程２０２において、重量測定モジュール１０２は、現在の支持重量１５１を測定する。一実施例において、重量測定モジュール１０２に点滴袋が支持されていない場合、測定された支持重量１５１は１５ｃｇである。
【００４６】
工程２０３において、処理モジュール１０８は、１５ｃｇの支持重量１５１が３０ｃｇのクリア重量１５２より小さいと判断し、更に、当時の重量測定モジュール１０２がクリアの状態にあると判断する。
【００４７】
工程２０５において、処理モジュール１０８は、支持重量１５１をそれぞれ開始重量１５４及び当時重量１５５にする。
【００４８】
工程２０６において、処理モジュール１０８は、更に、１５ｃｇの当時重量１５５、５００ｃｇの点滴袋の重量１５７及び３０ｃｇの臨界重量１５８に基づいて、警報重量１５６を算出する。そのため、警報重量１５６の数値は、１５-５００+３０=-４５５ｃｇになる。
【００４９】
工程２０７において、算出された警報重量１５６が-４５５ｃｇであり、数値１００ｃｇの予定最小警報重量１５９より大きくではないため、処理モジュール１０８は、警報重量１５６が予定最小警報重量１５９より大きくではないと判断する。
【００５０】
工程２０８において、処理モジュール１０８は、警報重量１５６を１００ｃｇの予定最小警報重量１５９に等しくする。
【００５１】
工程２０９において、重量測定モジュール１０２は、現在の支持重量１５１（相変わらず１５ｃｇ）を測定し、且つ処理モジュール１０８により支持重量１５１を当時重量１５５にする。
【００５２】
工程２１０において、処理モジュール１０８は、１５ｃｇの当時重量１５５が１００ｃｇの警報重量１５６より小さくすると判断する。
【００５３】
工程２１３において、処理モジュール１０８は、１５ｃｇの当時重量１５５が３０ｃｇのクリア重量１５２より小さくすると判断する。
【００５４】
工程２１５において、処理モジュール１０８は、この場合にクリア状態になると判断する。
【００５５】
工程２１６において、処理モジュール１０８は、重量測定モジュール１０２に対してゼロ調整補正を行う。
【００５６】
工程２１７において、処理モジュール１０８は、監視間隔時間を待つ。
【００５７】
工程２１８において、重量測定モジュール１０２は、現在の支持重量１５１を測定する。一実施例において、この時重量測定モジュール１０２が既に液体の入れた点滴袋を支持する場合、重量測定モジュール１０２は、例えば、７００ｃｇと測定するが、それに限定されない。
【００５８】
そのため、流れでは、工程２０５に戻る。処理モジュール１０８は、支持重量１５１をそれぞれ開始重量１５４及び当時重量１５５にする。
【００５９】
工程２０６において、処理モジュール１０８は、更に、７００ｃｇの当時重量１５５、５００ｃｇの点滴袋の重量１５７及び３０ｃｇの臨界重量１５８に基づいて、警報重量１５６を算出する。そのため、警報重量１５６の数値は、７００-５００+３０=２３０ｃｇになる。
【００６０】
工程２０７において、算出された警報重量１５６が２３０ｃｇであり、数値１００ｃｇの予定最小警報重量１５９より大きいため、処理モジュール１０８は、警報重量１５６が予定最小警報重量１５９より大きいと判断し、警報重量１５６の数値を変更しない。
【００６１】
工程２０９において、重量測定モジュール１０２は、現在の支持重量１５１（相変わらず７００ｃｇ）を測定し、且つ処理モジュール１０８により支持重量１５１を当時重量１５５にする。
【００６２】
工程２１０において、処理モジュール１０８は、７００ｃｇの当時重量１５５が２３０ｃｇの警報重量１５６より小さくではないと判断する。
【００６３】
工程２１１において、処理モジュール１０８は、監視状態になると判断する。
【００６４】
工程２１２において、処理モジュール１０８は、監視間隔時間を待つ。流れでは、工程２０９に戻る。それに続けて、工程２１０において、当時重量１５５が警報重量１５６より小さいかを判断する。
【００６５】
点滴袋が内部の液体を持続的に送り出すので、重量が次第に少なくなり、重量測定モジュール１０２により測定された支持重量１５１は少なくなる。支持重量１５１が少なくなることで、工程２１０において、処理モジュール１０８は、当時重量１５５が警報重量１５６より小さいと判断する場合、流れは工程２１３へ進む。処理モジュール１０８は、当時重量１５５がクリア重量１５２より小さいかを判断する。この場合、点滴袋の重量の存在で、処理モジュール１０８は、当時重量１５５がクリア重量１５２より小さくではないと持続的に判断する。
【００６６】
工程２１４において、処理モジュール１０８は、この場合に警報状態になると判断し、警報モジュール１０６に警報信号１６０を発生させる。
【００６７】
工程２１２において、処理モジュール１０８は、監視間隔時間を待つ。流れは、工程２０９に戻る。持続的に工程２１０、工程２１３において、監視終了の流れが起動され、又は点滴袋が除去されて工程２１５になるまで、当時重量１５５が警報重量１５６より小さく且つクリア重量１５２より小さくではないと判断する。
【００６８】
そのため、本発明の点滴監視システム１及び点滴監視方法２００は、液体を含有する点滴袋の重量を効果的に監視し、警報重量の設置によって、点滴袋の重量が液体の送り出しにより警報重量以下まで軽くなる場合に警報を提供することができる。また、クリア状態で重量測定モジュール１０２に対してゼロ調整補正を持続的に行うことで、重量測定モジュール１０２が点滴袋を長い間支持して変形することによる誤差、又は重量測定モジュール１０２が点滴袋の除去後の回復作用での変形による誤差を避けることができる。
【００６９】
図１及び図３を同時に参照されたい。図３は、本発明の一実施例に係る点滴監視方法３００の流れ図である。点滴監視方法３００は、図１の点滴監視システム１に適用されて、処理モジュール１０８により保存モジュール１０４における対応するアプリケーションプログラム１３０を取得して実行することができる。
【００７０】
本実施例において、点滴監視方法３００は、点滴監視方法２００の流れにおいて、操作インタフェース１００の制御によって監視を終了することに用いる。点滴監視方法３００は、下記の工程を備える（理解すべきなのは、本実施形態に言及した工程であれば、その順序が特定される以外、何れも実際の要求に応じてその前後の順序を調整し、更に同時に又はその一部を同時に実行してもよい）。
【００７１】
工程３０１において、処理モジュール１０８は、操作インタフェース１００によって監視終了信号１０３を受信してよい。一実施例において、監視終了信号１０３の発生は、使用者が操作インタフェース１００に含まれる例えばボタン１００Ｂ（それに限定されない）のような、実体又は仮想のボタンをタッチすることで達成されてよい。
【００７２】
工程３０２において、重量測定モジュール１０２は、現在の支持重量１５１を測定して、支持重量１５１を当時重量１５５にする。一実施例において、処理モジュール１０８は、当時重量１５５の数値を更新して、保存モジュール１０４に保存する。
【００７３】
工程３０３において、処理モジュール１０８は、当時重量１５５がクリア重量１５２より大きいかを判断する。
【００７４】
工程３０４において、処理モジュール１０８は、当時重量１５５がクリア重量１５２より大きいと判断する場合、更に、当時重量１５５が警報重量１５６より大きいかを判断する。
【００７５】
工程３０５において、処理モジュール１０８は、当時重量１５５が警報重量１５６より大きいと判断する場合、当時重量１５５を記録して、終了重量ＥＮＤとして保存モジュール１０４に保存する。一実施例において、終了重量ＥＮＤは、後のビッグデータ分析に用いられてよい。
【００７６】
工程３０６において、処理モジュール１０８は、工程３０５で終了重量ＥＮＤを保存した後で、工程３０４で当時重量１５５が警報重量１５６より大きいと判断する場合、又は工程３０３で当時重量１５５がクリア重量１５２より大きいと判断する場合、この場合既に監視終了状態になると判断する。一実施例において、処理モジュール１０８は、監視終了状態を表すものとして、例えば、数値「３」（それに限定されない）の状態値を保存してよい。
【００７７】
工程３０７において、処理モジュール１０８は、当時重量１５５がクリア重量１５２より小さいかを判断する。
【００７８】
工程３０８において、工程３０７で、処理モジュール１０８は、当時重量１５５がクリア重量１５２より小さいと判断する場合、更に、重量測定モジュール１０２に対してゼロ調整補正を行うように、この場合にクリア状態になると判断する。
【００７９】
工程３０９において、処理モジュール１０８は、工程３０７で当時重量１５５がクリア重量１５２より小さくではないと判断する場合、又は工程３０８で重量測定モジュール１０２に対してゼロ調整補正を行った後、例えば、３０秒間（それに限定されない）の監視間隔時間を選択的に待つ。
【００８０】
工程３１０において、重量測定モジュール１０２は、現在の支持重量１５１を測定して、支持重量１５１を当時重量１５５にする。流れは、工程３０７に戻って、続けて判断を行う。
【００８１】
図１及び図４を同時に参照されたい。図４は、本発明の一実施例に係る点滴監視方法４００の流れ図である。点滴監視方法４００は、図１の点滴監視システム１に適用されて、処理モジュール１０８により保存モジュール１０４における対応するアプリケーションプログラム１３０を取得して実行することができる。
【００８２】
本実施例において、点滴監視方法４００は、点滴監視方法２００の流れにおいて、操作インタフェース１００の制御によって監視を一時休止させることに用いられる。点滴監視方法４００は、下記の工程を備える（理解すべきなのは、本実施形態に言及した工程であれば、その順序が特定される以外、何れも実際の要求に応じてその前後の順序を調整し、更に同時に又はその一部を同時に実行してもよい）。
【００８３】
工程４０１において、処理モジュール１０８は、操作インタフェース１００によって監視一時休止信号１０５を受信することができる。一実施例において、監視一時休止信号１０５の発生は、使用者が例えば、ボタン１００Ｃ（それに限定されない）のような操作インタフェース１００に含まれる実体又は仮想のボタンにタッチすることで達成されてよい。
【００８４】
工程４０２において、重量測定モジュール１０２は、現在の支持重量１５１を測定して、支持重量１５１を当時重量１５５にする。一実施例において、処理モジュール１０８は、当時重量１５５の数値を更新して、保存モジュール１０４に保存する。
【００８５】
工程４０３において、処理モジュール１０８は、この場合に既に監視一時休止状態になると判断する。一実施例において、処理モジュール１０８は、監視一時休止状態を表すものとして、例えば、数値「４」（それに限定されない）の状態値を保存してよい。
【００８６】
工程４０４において、処理モジュール１０８は、当時重量１５５がクリア重量１５２より小さいかを判断する。
【００８７】
工程４０５において、工程３０４で、処理モジュール１０８は、当時重量１５５がクリア重量１５２より小さいと判断する場合、更に、重量測定モジュール１０２に対してゼロ調整補正を行うように、この場合にクリア状態になると判断する。
【００８８】
工程４０６において、処理モジュール１０８は、工程４０４で当時重量１５５がクリア重量１５２より小さくではないと判断する場合、又は工程４０５で重量測定モジュール１０２に対してゼロ調整補正を行った後、例えば、３０秒間（それに限定されない）の監視間隔時間を選択的に待つ。
【００８９】
工程４０７において、重量測定モジュール１０２は、現在の支持重量１５１を測定して、支持重量１５１を当時重量１５５にする。流れは、工程４０４に戻って続けて判断を行う。
【００９０】
図１及び図５を同時に参照されたい。図５は、本発明の一実施例に係る点滴監視方法５００の流れ図である。点滴監視方法５００は、図１の点滴監視システム１に適用されて、処理モジュール１０８により保存モジュール１０４における対応するアプリケーションプログラム１３０を取得して実行することができる。
【００９１】
本実施例において、点滴監視方法５００は、点滴監視方法４００の流れにおいて、操作インタフェース１００の制御によって監視を回復させることに用いられる。点滴監視方法５００は、下記の工程を備える（理解すべきなのは、本実施形態に言及した工程であれば、その順序が特定される以外、何れも実際の要求に応じてその前後の順序を調整し、更に同時に又はその一部を同時に実行してもよい）。
【００９２】
工程５０１において、処理モジュール１０８は、操作インタフェース１００によって監視回復信号１０７を受信してよい。一実施例において、監視回復信号１０７の発生は、使用者が例えば、ボタン１００Ｃ（それに限定されない）のような操作インタフェース１００に含まれる実体又は仮想のボタンにタッチすることで達成されてよい。
【００９３】
工程５０２において、重量測定モジュール１０２は、現在の支持重量１５１を測定して、支持重量１５１を当時重量１５５にする。一実施例において、処理モジュール１０８は、当時重量１５５の数値を更新して、保存モジュール１０４に保存する。
【００９４】
工程５０３において、処理モジュール１０８は、当時重量１５５、点滴袋の重量１５７及び臨界重量１５８に基づいて警報重量１５６を算出する。
【００９５】
工程５０４において、処理モジュール１０８は、警報重量１５６が予定最小警報重量１５９より大きいかを判断する。
【００９６】
工程５０５において、警報重量１５６が予定最小警報重量１５９より大きくではない場合、処理モジュール１０８は、警報重量１５６を予定最小警報重量１５９に等しくする。警報重量１５６が予定最小警報重量１５９より大きくなる場合、処理モジュール１０８は、続けて元々の警報重量１５６の数値を維持する。
【００９７】
一実施例において、処理モジュール１０８は、最終的に決めた警報重量１５６の数値を保存モジュール１０４に保存する。
【００９８】
工程５０６において、処理モジュール１０８は、この場合に監視状態になると判断する。一実施例において、工程５０６の状態、図２に示す工程２１１の状態に相当する。そのため、工程５０６に進んだ後で、直接図２の流れに回復して、続けて監視してよい。
【００９９】
そのため、本発明の点滴監視システム１及び点滴監視方法３００-５００によれば、図２に示す監視流れを終了、一時休止及び回復させることができ、クリア状態で重量測定モジュール１０２に対してゼロ調整補正を持続的に行うことで、重量測定モジュール１０２が点滴袋を長い間支持して変形することによる誤差、又は重量測定モジュール１０２が点滴袋の除去後の回復作用での変形による誤差を避けることができる。
【０１００】
図１及び図６を同時に参照されたい。図６は、本発明の一実施例に係る点滴監視方法６００の流れ図である。点滴監視方法６００は、図１の点滴監視システム１に適用されて、処理モジュール１０８により保存モジュール１０４における対応するアプリケーションプログラム１３０を取得して実行することができる。
【０１０１】
本実施例において、点滴監視方法６００は、点滴監視方法２００の流れにおいて、操作インタフェース１００の制御によって予定最小警報重量１５９を設定することに用いられる。点滴監視方法６００は、下記の工程を備える（理解すべきなのは、本実施形態に言及した工程であれば、その順序が特定される以外、何れも実際の要求に応じてその前後の順序を調整し、更に同時に又はその一部を同時に実行してもよい）。
【０１０２】
工程６０１において、処理モジュール１０８は、操作インタフェース１００によって監視設定信号１０９を受信することができる。一実施例において、監視設定信号１０９の発生は、使用者が例えば、ボタン１００Ｄ（それに限定されない）のような操作インタフェース１００に含まれる実体又は仮想のボタンにタッチすることで達成されてよい。
【０１０３】
工程６０２において、処理モジュール１０８は、予定最小警報重量１５９を所定値に修正する。
【０１０４】
異なる実施例において、処理モジュール１０８は、異なる形態によって、予定最小警報重量１５９を所定値に修正することができる。一実施例において、処理モジュール１０８は、保存モジュール１０４に保存された数値をアクセスして、この数値を所定値とし、予定最小警報重量１５９を修正してよい。別の実施例において、処理モジュール１０８は、点滴監視システム１に更に含まれる入力モジュール（図示せず）から入力された数値を受信して、この数値を所定値とし、予定最小警報重量１５９を修正してよい。
【０１０５】
工程６０３において、重量測定モジュール１０２は、現在の支持重量１５１を測定して、支持重量１５１を当時重量１５５にする。一実施例において、処理モジュール１０８は、当時重量１５５の数値を更新して、保存モジュール１０４に保存する。
【０１０６】
工程６０４において、処理モジュール１０８は、当時重量１５５に基づいて警報重量１５６を算出する。より詳しくは、一実施例において、処理モジュール１０８は、当時重量１５５、点滴袋の重量１５７及び臨界重量１５８に基づいて警報重量１５６を算出する。
【０１０７】
工程６０５において、処理モジュール１０８は、警報重量１５６が工程６０２に設定された予定最小警報重量１５９より大きいかを判断する。
【０１０８】
工程６０６において、警報重量１５６が予定最小警報重量１５９より大きくではない場合、処理モジュール１０８は、警報重量１５６を予定最小警報重量１５９に等しくする。警報重量１５６が予定最小警報重量１５９より大きくなる場合、処理モジュール１０８は、続けて元々の警報重量１５６の数値を維持する。
【０１０９】
一実施例において、処理モジュール１０８は、最終的に決めた警報重量１５６の数値を保存モジュール１０４に保存する。
【０１１０】
工程６０７において、設定を終了する。
【０１１１】
注意すべきなのは、一実施例において、処理モジュール１０８が保存モジュール１０４に保存された数値を所定値としてアクセスし、予定最小警報重量１５９を修正する場合、点滴監視システム１は、操作インタフェース１００に、処理モジュール１０８が異なるボタンの発生した監視設定信号によって保存モジュール１０４から異なる数値をアクセスして、所定値として予定最小警報重量１５９を修正するように、他のボタンが設けられてよい。異なる数値は、例えば、点滴監視システム１の採用した輸液チューブの大きさ（それに限定されない）のような、異なる使用場合に対応してよい。
【０１１２】
例として、点滴監視システム１は、処理モジュール１０８が１８０ｃｇ及び５０ｃｇの数値を所定値としてアクセスし、それぞれ比較的大きい輸液チューブ及び比較的小さい輸液チューブに対応するように、操作インタフェース１００に２つの異なるボタンが設けられてよい。しかしながら、本発明は、これに限定されない。
【０１１３】
本開示内容では、実施形態を上記の通り開示したが、それは本開示内容を制限するものではない。当業者であれば、本開示内容の精神や範囲から逸脱せずに、各種の変更や修正を加えることができるため、本開示内容の保護範囲は、後の添付の特許請求の範囲により決められるものを基準する。
【符号の説明】
【０１１４】
１  点滴監視システム
１００Ａ-１００Ｄ  ボタン
１０２  重量測定モジュール
１０４  保存モジュール
１０６  警報モジュール
１０８  処理モジュール
１３０  アプリケーションプログラム
１５２  クリア重量
１５４  開始重量
１５６  警報重量
１５８  臨界重量
１６０  警報信号
２０１-２１８、３０１-３１０、４０１-４０７、５０１-５０６、６０１-６０７  工程
１００  操作インタフェース
１０１  監視開始信号
１０３  監視終了信号
１０５  監視一時休止信号
１０７  監視回復信号
１０９  監視設定信号
１５１  支持重量
１５３  非クリア警報信号
１５５  当時重量
１５７  点滴袋の重量
１５９  予定最小警報重量
２００、３００、４００、５００、６００  点滴監視方法
【図１】
2019025330.tif 000003
【図２】
2019025330.tif 000004
【図３】
2019025330.tif 000005
【図４】
2019025330.tif 000006
【図５】
2019025330.tif 000007
【図６】
2019025330.tif 000008